(57)【特許請求の範囲】
【請求項１】
上下方向に延びる貫通孔を有する本体部と、平面視において前記貫通孔を部分的または全体的に囲むように形成されると共に前記本体部から上方に向かって延びる立壁部とを有する栓本体と、
回動開閉機構を介して前記栓本体に取り付けられる蓋体と、
一対の係止爪を有し、前記係止爪により前記蓋体を前記栓本体に係止する係止部材と
を備え、
前記立壁部は、前記係止部材により前記蓋体が前記栓本体に係止された状態において、前記係止爪と対向する部分が平面視において前記貫通孔に向かって突起しており、
前記立壁部のうち前記係止爪と対向する部分は、平面視において前記立壁部の前記貫通孔側の反対側から前記係止爪を受け入れる係止爪受けとして機能する
栓体。
【発明の詳細な説明】
【技術分野】
【０００１】
本発明は、栓体および飲料容器に関する。
【背景技術】
【０００２】
過去に「上下方向に延びる貫通孔を有する本体部（ａ１）と、平面視において貫通孔を囲むように形成されると共に本体部から上方に向かって延びる立壁部（ａ２）と、立壁部の両側側面上部から左右方向に向かって延びる翼部（ａ３）とを有する栓本体（Ａ）と、回動開閉機構を介して栓本体に取り付けられる蓋体（Ｂ）と、栓本体の翼部に係止されて蓋体を栓本体に係止する係止爪（Ｃ）とを備える栓体」が提案されている（例えば、特許第４７３６１３３号明細書等参照）（なお、ここで、（Ａ）、（Ｂ）および（Ｃ）は栓体の主構成要素を示し、（ａ１）、（ａ２）および（ａ３）は（Ａ）の構成要素を示す。）。なお、ここで、立壁部のうち回動開閉機構と反対側の部分は飲み口として機能する。
【先行技術文献】
【特許文献】
【０００３】
【特許文献１】特許第４７３６１３３号明細書
【発明の概要】
【発明が解決しようとする課題】
【０００４】
ところで、このような栓体では翼部が立壁部の側面上部から左右方向に向かって延びている。このため、栓体が比較的大きくなってしまう。また、上述のような栓体では、飲み口が平面視において略半楕円形状となっている。このため、例えば、運動後に使用者が急いで飲料を飲もうとすると、飲料が横に広がって使用者の口から漏れだしてしまうことが想定される。
【０００５】
本発明の課題は、栓体を比較的小型化することができると共に、例えば、運動後に使用者が急いで飲料を飲もうとする場合であっても飲料が使用者の口から漏れだしにくい栓体を提供することにある。
【課題を解決するための手段】
【０００６】
本発明の一局面に係る栓体は、栓本体、蓋体および係止部材を備える。栓本体は、本体部および立壁部を有する。本体部は、上下方向に延びる貫通孔を有する。立壁部は、平面視において貫通孔を部分的または全体的に囲むように形成されると共に本体部から上方に向かって延びる。蓋体は、回動開閉機構を介して栓本体に取り付けられる。係止部材は、一対の係止爪を有する。そして、この係止部材は、係止爪により蓋体を栓本体に係止する。また、立壁部は、係止部材により蓋体が栓本体に係止された状態において、係止爪と対向する部分（以下「係止爪対向部分」という）が平面視において貫通孔に向かって突起している。すなわち、平面視において係止爪対向部分は係止爪に対して凹んでいる。そして、その立壁部の係止爪対向部分は、平面視において立壁部の貫通孔側の反対側から係止爪を受け入れる係止爪受けとして機能する。
【０００７】
この栓体では、立壁部のうち係止爪対向部分が貫通孔に向かって突起している。つまり、この栓体では、係止爪受けが立壁部の外方に突起しない。また、これら２つの係止爪対向部分の間の立壁部の部分（以下「立壁中央部」という）は、飲み口として機能する。そして、貫通孔から飲み口に流れる飲料は、係止爪対向部分により整流された後に立壁中央部に流れ込む。したがって、この栓体では、係止爪対向部分は、係止爪を受け入れる係止爪受けとして機能するのみならず、飲料の整流壁としても機能する。よって、この栓体は、比較的小型化することができると共に、例えば、運動後に使用者が急いで飲料を飲もうとする場合であっても飲料が使用者の口から漏れだしにくい。
【図面の簡単な説明】
【０００８】
【図１】本発明の実施の形態に係る栓体の外観斜視図である。
【図２】本発明の実施の形態に係る栓体の側面図である。
【図３】本発明の実施の形態に係る栓体の底面図である。
【図４】本発明の実施の形態に係る栓体において係止部材による係止を解除した状態の斜視図である。
【図５】本発明の実施の形態に係る栓体において蓋体を開状態としたときの平面図である。
【図６】本発明の実施の形態に係る栓体において蓋体を開状態としたときの側面図である。
【図７】本発明の実施の形態に係る栓体において蓋体を開状態としたときの斜視図である。
【図８】本発明の実施の形態に係る栓体において蓋体を開状態としたときの別の斜視図である。
【図９】本発明の実施の形態に係る栓体の縦断面図である。
【図１０】本発明の実施の形態に係る飲料容器の正面図である。
【図１１】本発明の実施の形態に係る飲料容器の縦断面図である。
【発明を実施するための形態】
【０００９】
本発明の実施の形態に係る栓体１００は、図１に示されるように、主に、栓本体１１０、蓋体１２０、ヒンジ機構部１４０および下部外装部材１５０から構成される。以下、これらの要素部品について詳述すると共にこの栓体１００の使用方法等について説明する。
【００１０】
＜栓体の要素部品＞
（１）栓本体
栓本体１１０は、図１、図５および図９に示されるように、主に、円筒壁部１１１、雄ネジ部１１２、半椀壁部１１４および立壁部１１５から構成される。
【００１１】
円筒壁部１１１は、円筒形状を呈する。なお、この円筒壁部１１１の内部空間１１１ａは、容器２００（後述）から半椀壁部１１４に向かって流れる飲料が通過する流体通路として機能する。
【００１２】
雄ネジ部１１２は、図２に示されるように、円筒壁部１１１の下部の外周面上に形成されており、容器２００（後述）の開口部２１０の内周面上に形成される雌ネジ部２１１と螺合することが可能である（図１１参照）。また、この雄ネジ部１１２の下には、図２および図９に示されるように、パッキン１１９が着脱自在に取り付けられている。
【００１３】
半椀壁部１１４は、図９に示されるように、円筒壁部１１１の雄ネジ部形成側と反対側、すなわち円筒壁部１１１の上に配置されている。なお、平面視において、半椀壁部１１４の半円部分はヒンジ機構部１４０の反対側すなわち栓体１００の正面側に配置されており、直線部分はヒンジ機構部側すなわち背面側に配置されている。また、この半椀壁部１１４の底部には、図５および図９に示されるように、貫通孔１１３が形成されている。その結果、半椀壁部１１４の内部空間１１４ａは、貫通孔１１３を介して円筒壁部１１１の内部空間１１１ａに連通している（図９参照）。
【００１４】
立壁部１１５は、平面視において略半月状である（図５参照）。なお、平面視において、立壁部１１５の半円部分はヒンジ機構部１４０の反対側すなわち栓体１００の正面側に配置されており、直線部分はヒンジ機構部側すなわち背面側に配置されている。また、この立壁部１１５は、側面視においてヒンジ機構部側の反対側からヒンジ機構部側に向かうに従って下方に傾斜している（図６参照）。すなわち、立壁部１１５は、ヒンジ機構部側の反対側（すなわち栓体１００の正面側）が高く、ヒンジ機構部側すなわち背面側に向かうに従って低くなる。そして、この立壁部１１５の両側には、図５および図６に示されるように、係止爪受容部１１５ｂが形成されている。これらの係止爪受容部１１５ｂには、後述する一対の係止爪１３３がそれぞれ抜差自在に差し込まれる。また、立壁部１１５のうち係止爪受容部１１５ｂに挟まれる円弧部分（以下「立壁中央部」という）１１５ａは、飲み口として利用される。また、係止爪受容部１１５ｂは、図５に示されるように、貫通孔１１３に向かって膨らんでいる。このため、貫通孔１１３から立壁部１１５の半円部分に向かう飲料は、係止爪受容部１１５ｂによって立壁中央部１１５ａに向かうように整流される。
【００１５】
（２）蓋体
蓋体１２０は、図１および図５に示されるように、主に、蓋本体１２１、蓋カバー１２２、弾性突起部１２３、一対の連結片１４２および係止部材１３０から構成される。
【００１６】
（２−１）蓋本体
蓋本体１２１は、図５に示されるように、平面視において略Ｄ字形状（円切片形状）を呈している。なお、栓体１００が閉状態となっているとき、平面視において、蓋本体１２１の円弧部分はヒンジ機構部側の反対側すなわち栓体１００の正面側に位置し、直線部分はヒンジ機構部側すなわち背面側に位置している。また、図示はしていないが、蓋本体１２１の天壁部は側面視において、ヒンジ機構部側の反対側からヒンジ機構部側に向かうに従って下方に傾斜しており、立壁部１１５をほぼ隙間なく覆っている。また、蓋本体１２１の側壁部は平面視において、立壁部１１５をほぼ隙間なく囲っている。また、蓋本体１２１の円弧部分には一対の窓部（図７参照）が形成されている。この窓部には、後述する係止部材１３０の係止爪１３３が外側から内側に向かって挿通されている。
【００１７】
（２−２）蓋カバー
蓋カバー１２２は、平面視において略Ｈ字状を呈しており、蓋本体１２１の上面の一部、側面の一部およびヒンジ機構部１４０の側面を覆う。また、平面視において、蓋カバー１２２の正面側の凹部には係止部材１３０の一部が収容され、蓋カバー１２２の背面側の凹部にはヒンジ機構部１４０の一部が収容される。
【００１８】
（２−３）弾性突起部
弾性突起部１２３は、ゴムやエラストマー等の弾性材料から成形されており、図５に示されるように、蓋本体１２１の裏側の略中央付近から突起している。この弾性突起部１２３は、係止爪１３３が係止爪受容部１１５ｂに差し込まれているとき、すなわち蓋体１２０が閉状態であるとき、図３および図９に示されるように栓本体１１０の貫通孔１１３を閉塞する。
【００１９】
（２−４）連結片
連結片１４２は、蓋本体１２１の後端に形成されており、後述の通り、下部外装部材１５０のヒンジ連結部１４１と共にヒンジ機構部１４０を構成する。なお、この連結片１４２には、ヒンジピン（図示せず）が挿通される貫通孔が形成されている。
【００２０】
（２−５）係止部材
係止部材１３０は、図１、図５および図９に示されるように、主に、本体部１３１、操作凹部１３２、係止爪１３３および係止爪付勢機構（図示せず）から構成されている。
【００２１】
本体部１３１は、正面視において門形状を呈し、平面視において方形の一辺が円弧に置換されている形状を呈している。ところで、正面視において、本体部１３１の中央下には、蓋本体１２１の一部が露出している（符号１２１ａ参照）。なお、この露出部分１２１ａは、使用者が係止部材１３０をヒンジ機構部側の反対側（すなわち正面側）に引くときの支持部位として利用されることが想定されている。本体部１３１は、蓋本体１２１の天壁部に沿って前後移動することが可能である。すなわち、本体部１３１は、側面視において立壁部１１５の上縁とほぼ平行な方向に沿って前後に移動することが可能である。さらに詳細にいうと、栓本体１１０に対する蓋体１２０の係止が解除されるとき、本体部１３１は、側面視において斜め上方に向かって移動し、蓋体１２０が栓本体１１０に係止されるとき、本体部１３１は、側面視において斜め下方に向かって移動する。また、係止爪１３３が係止爪受容部１１５ｂに差し込まれているとき、すなわち、蓋体１２０が栓本体１１０に係止されているとき、本体部１３１の天面および外周面、蓋本体１２１の露出部分１２１ａおよび蓋カバー１２２の天面および外周面には段差がなく、蓋体１２０に滑らかな平面および湾曲面が形成されている（図１参照）。その一方、係止爪１３３が係止爪受容部１１５ｂから引き抜かれたとき、すなわち、栓本体１１０に対する蓋体１２０の係止が解除されたとき、本体部１３１の天面および外周面が、蓋本体１２１の露出部分１２１ａおよび蓋カバー１２２の天面および外周面よりも上側および正面側に突出し、その結果、本体部１３１の天面および外周面と、蓋本体１２１の露出部分１２１ａおよび蓋カバー１２２の天面および外周面とに段差が生じることになる（図４参照）。
【００２２】
操作凹部１３２は、図１および図９に示されるように、平面視において栓体１００の略中央部に位置している。そして、この操作凹部１３２は、側壁部１３２ａおよび傾斜壁部１３２ｂから形成されている。側壁部１３２ａは、係止部材１３０を正面側に移動させるときの力点部位として機能する。なお、係止部材１３０が正面側に移動させられると、後述の係止爪１３３が係止爪受容部１１５ｂから引き抜かれ、栓本体１１０に対する蓋体１２０の係止が解除される。
【００２３】
係止爪１３３は、図５に示されるように、本体部１３１の左右の前壁の裏側面から内側に向かって突起している。また、この係止爪１３３は、上述の通り、蓋本体１２１の円弧部分に設けられる一対の窓部に出没可能に挿通されている（図５参照）。
【００２４】
係止爪付勢機構は、係止部材１３０をヒンジ機構部側に向かって付勢している。具体的には、係止部材１３０がコイルスプリングや樹脂バネ等のバネ部材を介して蓋本体１２１に取り付けられることにより係止爪付勢機構が構成されている。
【００２５】
（３）下部外装部材
下部外装部材１５０は、略切頭円錐形状の部材であって、図９に示されるように、主に、本体部１５１およびヒンジ連結部１４１から構成される。そして、この下部外装部材１５０は、図２および図９に示されるように、栓本体１１０の円筒壁部１１１の上部を囲うように配置される。なお、かかる場合、栓本体１１０の立壁部１１５は、側面視において下部外装部材１５０の上面よりもほぼ上に位置することとなる。
【００２６】
本体部１５１は、図５および図９に示されるように、主に、側壁部１５１ａおよび後部天壁部１５１ｂから形成されている。側壁部１５１ａは、切頭円錐形状を呈している。後部天壁部１５１ｂは、図５および図７に示されるように、側壁部１５１ａの後部の上を覆っている。
【００２７】
ヒンジ連結部１４１は、図７および図９に示されるように、後部天壁部１５１ｂから上方に延びている。そして、このヒンジ連結部１４１は、後述の通り、蓋体１２０の連結片１４２と共にヒンジ機構部１４０を構成する。なお、このヒンジ連結部１４１には、ヒンジピン（図示せず）が挿通される貫通孔が形成されている。
【００２８】
（４）ヒンジ機構部
ヒンジ機構部１４０は、図５、図７および図８に示されるように、主に、ヒンジ連結部１４１、一対の連結片１４２およびヒンジピン（図示せず）から構成される。なお、ヒンジ機構部１４０は、連結片１４２の貫通孔とヒンジ連結部１４１の貫通孔とが連通して一つの連続した貫通孔が形成されるようにしてヒンジ連結部１４１を一対の連結片１４２で挟み込んだ状態で、その貫通孔にヒンジピンが挿通されることにより形成される。
【００２９】
＜栓体の使用方法＞
先ず、容器２００の所望の飲料を注ぎ入れる。
【００３０】
次に、容器２００の雌ネジ部２１１に栓体１００の雄ネジ部１１２を螺合することにより容器２００に栓体１００を装着して飲料容器３００を完成させる（図１０および図１１参照）。このとき、パッキン１１９が、容器２００の開口部２１０の下端の突起部２１２に当接し、容器２００と栓体１００とを水密に保つ。なお、ここで、容器２００は、通常の容器であってもよいし、真空二重容器であってもよい。また、容器２００の素材としては、ステンレス等の合金、樹脂等が挙げられる。
【００３１】
そして、この飲料容器３００の使用者は、栓体１００のヒンジ機構部１４０の反対側、すなわち正面側が手前になるように容器２００を把持する。続いて、使用者は、例えば、利き手ではない手の親指の腹で蓋本体１２１の露出部分１２１ａを抑え、利き手の人差し指を操作凹部１３２に差し入れて側壁部１３２ａに当接させ、係止爪付勢機構による付勢力に抗してその人差し指を手前に引く。すると、栓体１００において係止部材１３０が奥側から手前側に移動し（図４参照）、その結果、係止爪１３３が係止爪受容部１１５ｂから引き抜かれ、栓本体１１０に対する蓋体１２０の係止が解除される。続いて、使用者は、蓋体１２０を上方に持ち上げて後方に倒す。そして、使用者は、立壁中央部１１５ａに口を付け、飲料容器３００を上に持ちあげつつ傾けて飲料を飲む。なお、このとき、係止部材１３０は、係止爪付勢機構により元の位置に戻されている（図６参照）。
【００３２】
また、蓋体１２０を閉状態とするとき、使用者は、蓋体１２０を前方に回動させてそのまま蓋体１２０を栓本体１１０に押し込む。すると、係止爪１３３が係止爪受容部１１５ｂの上部に当接しながら下方手前にスライドし、最後に係止爪受容部１１５ｂに係止爪１３３が差し込まれる。その結果、栓本体１１０に対して蓋体１２０が係止される。
【００３３】
＜本発明の実施の形態に係る栓体の特徴＞
（１）
本発明の実施の形態に係る栓体１００が容器２００に装着されて飲料容器３００とされた場合、その飲料容器３００の使用者は、通常、ヒンジ機構部１４０の反対側が手前になるように容器２００を把持して、係止部材１３０を操作することになる。つまり、その使用者は、係止部材１３０を奥側から手前側にスライドさせることになる。本願発明者が知る限り、このような係止機構を有する栓体１００は今日までに提案されたことがない。したがって、本発明によれば、上述のような栓体１００を待ち望む人達の要求に応えることができる。
【００３４】
（２）
本発明の実施の形態に係る栓体１００では、蓋体１２０が栓本体１１０に係止されるとき、係止部材１３０が側面視において斜め下方に向かって移動する。このため、使用者は、蓋カバー１２２を押すだけで栓本体１１０に対して蓋体１２０を係止することができる。
【００３５】
（３）
本発明の実施の形態に係る栓体１００では、立壁部１１５の両側に係止爪受容部１１５ｂが形成されている。このため、この係止爪受容部１１５ｂは、蓋体１２０が栓本体１１０に係止されている状態において蓋体１２０の横方向の位置決めを行っている。したがって、この栓体１００は、不用意な衝撃が加わった場合であっても蓋体１２０が開状態となってしまうことを抑制することができる。
【００３６】
（４）
本発明の実施の形態に係る栓体１００では、蓋体１２０が栓本体１１０に係止されているとき、係止部材１３０の本体部１３１の天面および外周面、蓋本体１２１の露出部分１２１ａおよび蓋カバー１２２の天面および外周面には段差がなく、滑らかな平面および湾曲面を形成している。その一方、栓本体１１０に対する蓋体１２０の係止が解除されたとき、本体部１３１の天面および外周面が、蓋本体１２１の露出部分１２１ａおよび蓋カバー１２２の天面および外周面よりも上側および正面側に突出し、その結果、本体部１３１の天面および外周面と、蓋本体１２１の露出部分１２１ａおよび蓋カバー１２２の天面および外周面とに段差が生じる。本願発明者が知る限り、このような形態変化を生じる係止機構を有する栓体１００は今日までに提案されたことがない。したがって、この本発明によれば、このような栓体１００を待ち望む人達の要求に応えることができる。
【００３７】
（５）
本発明の実施の形態に係る栓体１００では、側面視において蓋本体１２１の天壁部が立壁部１１５をほぼ隙間なく覆い、平面視において蓋本体１２１の側壁部が立壁部１１５をほぼ隙間なく囲っている。このため、この栓体１００には、ほとんど無駄な空間が存在しない。したがって、この栓体１００は、比較的小型化されている。
【００３８】
（６）
本発明の実施の形態に係る栓体１００では、立壁部１１５において係止爪受容部１１５ｂが貫通孔１１３に向かって膨らんでいる。このため、貫通孔１１３から立壁部１１５の半円部分に向かう飲料は、係止爪受容部１１５ｂによって立壁中央部１１５ａに向かうように整流される。したがって、例えば、運動後に使用者が急いで飲料を飲もうとする場合であっても飲料が使用者の口から漏れだしにくい。また、この栓体１００では、立壁部１１５の汚れ等に対して手入れが行い易い。
【００３９】
また、例えば、飲料容器の口部のネジの一部を切り欠いて飲料流れの脈流を防ぐことは、古くから存在する周知慣用技術であるが（例えば、実開昭５４−１０１５５７号公報等参照）、この栓体１００に係る係止部材１３０はネジでない。また、上述の技術では、ネジの高さに制限があるが、本願発明に係る係止部材１３０ではそのような制限はない。このため、このような技術は、本願発明の新規性および進歩性を否定する基礎とはなり得ない。
【００４０】
（７）
本発明の実施の形態に係る栓体１００では、操作部が、凹部として形成されていると共に平面視において栓体１００の略中央部に配置されている。このため、この栓体１００では、使用者が飲料容器３００を鞄に入れて持ち歩く場合であっても、鞄の中で操作部（操作凹部１３２）に外力がかかりにくい。したがって、この栓体１００は、鞄での持ち運び時において鞄の中で開状態となりにくい。
【００４１】
（８）
本発明の実施の形態に係る栓体１００では、蓋カバー１２２は、ヒンジ機構部１４０の側面を覆う。このため、この栓体１００では、使用者にヒンジピンが見えず、また、ヒンジピンが脱落することがない。したがって、この栓体１００は、見た目がよく、堅牢である。
【００４２】
＜変形例＞
（Ａ）
先の実施の形態では特に言及しなかったが、蓋体１２０が上方向に付勢されていてもよい。なお、かかる場合、ヒンジ機構部１４０に更にスプリングコイル等の弾性部材を設ければよい。
【００４３】
（Ｂ）
先の実施の形態では特に言及しなかったが、さらに安全ロック機構が設けられてもよい。
【００４４】
（Ｃ）
先の実施の形態に係る栓体１００では係止爪付勢機構により係止部材１３０がヒンジ機構部側に向かって付勢されていたが、係止部材１３０は付勢されなくてもよい。なお、かかる場合、別途、安全ロック機構が設けられることが好ましい。
【００４５】
（Ｄ）
先の実施の形態に係る栓体１００では正面視において本体部１３１の中央下に蓋本体１２１の一部が露出していたが、この露出部分１２１ａが係止部材１３０の本体部１３１に完全に覆われてもかまわない。
【００４６】
（Ｅ）
先の実施の形態に係る栓体１００では操作部（操作凹部１３２）が凹部として形成されていたが、操作部は凸部として形成されてもよい。なお、かかる場合、別途、安全ロック機構が設けられることが好ましい。
【００４７】
（Ｆ）
先の実施の形態では特に言及しなかったが、栓体１００は、容器２００に固定的に取り付けられてもよい。
【００４８】
（Ｇ）
先の実施の形態に係る栓体１００では栓本体１１０に対する蓋体１２０の係止が解除されるとき、係止部材１３０が側面視において斜め上方に向かって移動し、蓋体１２０が栓本体１１０に係止されるとき、係止部材１３０が側面視において斜め下方に向かって移動したが、栓本体１１０に対する蓋体１２０の係止が解除されるとき及び蓋体１２０が栓本体１１０に係止されるとき共に、係止部材１３０が側面視において水平方向に沿って移動してもよい。なお、かかる場合、使用者は係止部材１３０を手前に引いた状態で蓋体１２０を閉状態としなければならないことが想定される。
【００４９】
（Ｈ）
先の実施の形態に係る栓体１００では立壁部１１５が円筒壁部１１１および半椀壁部１１４と一体に成形されていたが、立壁部１１５は着脱式の別部材とされてもよい。
【００５０】
（Ｉ）
先の実施の形態に係る栓体１００では、栓本体１１０に対する蓋体１２０の係止が解除される際、平面視において係止部材１３０がヒンジ機構部側と反対側にスライド移動されたが、平面視において係止部材１３０がヒンジ機構部側にスライド移動されることにより、栓本体１１０に対する蓋体１２０の係止が解除されてもよい。なお、かかる場合、レバー機構やリンク機構等を利用して係止部材１３０の移動方向と逆方向に移動する部材を設け、その部材に係止爪１３３を取り付けておくことが好ましい。このようにすれば、係止爪の移動方向を先の実施の形態に係る係止爪１３３の移動方向と同一にすることができるからである。
【符号の説明】
【００５１】
１００      栓体
１１０      栓本体
１１１      円筒壁部（本体部）
１１３      貫通孔
１１５      立壁部
１１５ｂ      係止爪受容部（係止爪と対向する部分）
１２０      蓋体
１３０      係止部材
１３３      係止爪
１４０      ヒンジ機構部（回動開閉機構）
【図１】
0005953854.tif 000002
【図２】
0005953854.tif 000003
【図３】
0005953854.tif 000004
【図４】
0005953854.tif 000005
【図５】
0005953854.tif 000006
【図６】
0005953854.tif 000007
【図７】
0005953854.tif 000008
【図８】
0005953854.tif 000009
【図９】
0005953854.tif 000010
【図１０】
0005953854.tif 000011
【図１１】
0005953854.tif 000012